(57)【要約】【課題】球払出し部の施錠と解錠とをなすと共に、賞球(貯留球)の球払出し部への流通を可否状態に規制する。【解決手段】機構セット盤Ｃにセットした球払出し部に対する施錠部材７０の施錠状態では、係合口８０と連繋ピン８８との係合により可動規制部材８７が球送出路４ｃから退避し、該球送出路４ｃ内の賞球が球払出し部のケース体内に形成された球通路２８内へ流入することが許容される。また、機構セット盤Ｃにセットした球払出し部に対する施錠部材７０の非施錠状態では、カム縁７５ａと連繋ピン８８との当接により可動規制部材８７が球送出路４ｃへ延出し、該球送出路４ｃ内の賞球は、該可動規制部材８７の規制弁部８９で流通が規制される。従って、前記球払出し部を機構セット盤Ｃから取外した際には、球送出路４ｃから賞球が全く流出しない。【選択図】図１０
2006075638.tif 000002
【特許請求の範囲】
【請求項１】
機裏側の機構セット盤(C)に装備された賞球貯留排出部(4)下流の球送出路(4c)と、同セット盤(C)下方に形成された賞球排出路(5,7)との間の凹室部(25)に、ケース体(26)内に形成された球通路(28)を連通し得る球払出し部(30)が着脱可能にセットされて、同球払出し部(30)から払出された賞球を賞球排出路(5,7)を介して遊技者側に排出し得るパチンコ遊技機において、
前記機構セット盤(C)の球送出路(4c)と前記球払出し部(30)の球通路(28)との連通部の近傍に、
指先操作または工具操作により操作して球払出し部(30)のケース体(26)の一部を係脱可能に係止し得る係合盤部(75)を有し、該係合盤部(75)を一方に変位させる施錠操作により、係合盤部(75)が前記凹室部(25)に突出してケース体(26)の一部を固定セットすると共に、係合盤部(75)を他方に変位させる解錠操作により、該凹室部(25)から退避してケース体(26)を取外し可能とする施錠部材(70)と、
前記球送出路(4c)に対して出没変位して同路(4c)内の球の拘束と解放をなし得る規制弁部(89)を有する可動規制部材(87)とを夫々取着して、両部材(70,87)を互いに連繋し、
前記球払出し部(30)の組付けセット時において、前記施錠部材(70)の施錠操作により係合盤部(75)をケース体(26)の一部に係止保持することに関連して、前記可動規制部材(87)の規制弁部(89)を球送出路(4c)から退出状態にして球の通出を可能とし、
前記球払出し部(30)の取脱時において、施錠部材(70)の解錠操作により係合盤部(75)をケース体(26)の一部から解放することに関連して、可動規制部材(87)の規制弁部(89)を球送出路(4c)内に突出して球の通出を不能にするように構成した
ことを特徴とするパチンコ遊技機における賞球流通規制装置。
【発明の詳細な説明】
【技術分野】
【０００１】
この発明は、パチンコ遊技機における賞球流通規制装置に係り、更に詳しくは、機裏側の機構セット盤における賞球貯留排出部の下流に連通状態で装備される球払出し部から賞球を払出し得る遊技機において、球払出し部の着脱に関連して賞球の流通を規制し得るようにした賞球流通規制装置に関するものである。
【背景技術】
【０００２】
この種の遊技機に代表されるパチンコ機やアレンジボール機では、遊技に供された実施状態において、機外の補給装置から定期的に投入されるパチンコ球を賞球として裏側の賞球貯留排出部の球タンク内に受入れて、以降整流樋から球送出路そして最下端の賞球払出し装置の球ケースまたは球通路に至って通入収容している。そして、ゲーム中に発生したセーフ球または入賞成立に対して賞球払出装置の球払出し部から所定数単位の賞球を払出して、賞球排出路を介して機前側の上,下の球皿側へ排出するようになっており、この一方で貯留賞球の減少に伴い前記補給装置により定量のパチンコ球が補充投入されるようになっている。従ってこのような遊技機においては、賞球貯留排出部の点検や修理、特に賞球払出装置の取外し点検や新旧交換に際しては、同排出部内の賞球を所要部位で一時的に球止め(通出阻止)し得ることが望まれている。
【発明の開示】
【発明が解決しようとする課題】
【０００３】
そこで従来のこの種遊技機にあっては、賞球の球止めに係る一般的な技術として、前記賞球貯留排出部の下流部上方に鈎形状をなす回転式の制止部材が取着されており、賞球払出装置の取外しに先立つ球止め時には、この制止部材を通常の非球止め位置(解放位置)から整流樋側の球止め位置(拘束位置)に反転変向させて、その爪部で整流路および球送出路内の賞球を受止め、球止め位置から上流の球タンクに至る賞球分を通出阻止し得るようになっている。しかしこのような球止め技術では、制止部材の球止め位置から下流に亘る賞球を通出阻止し得ないために、賞球払出装置の取外し時においては、相当数をやむなく放出しなければならない。また、点検,修理済みの賞球払出装置の組付けセット後において、賞球の球詰め,球切り状態が未だ不充分である場合には、同装置の再度の取外し点検に伴い相当数の賞球を放出しなければならなくなってしまい、装置の点検,交換作業が案外煩わしくなっている。
【０００４】
また前述のように、賞球貯留排出部内の貯留賞球が賞球払出装置の取外しの都度やむなく放出されることは、遊技機１台毎の賞球貯留状態において、前記補給装置による投入個数と、入賞に対する正規の払出し個数と、残存個数との関係に大幅な誤差を生ずることになる。これに関連して遊技店内の制御部では、１台毎の賞球状況や誤差を把握し得ないまま当日分の球稼動状態を管理し続けることになり、有効正味投入データとして修正入力することが難しくまた煩わしい状況のもとで、遊技店の営業・稼動において不都合な事態を招いていた。
【０００５】
すなわち本発明は、前述した課題を好適に解決するべく新規に提案されたもので、機裏側の機構セット盤の賞球貯留排出部の下流に着脱可能に装備される球払出し部の施錠と解錠とをなすと共に、これに関連して賞球(貯留球)の球払出し部への流通を可否状態に規制し得るようにした小型で取扱い容易な賞球流通規制装置を提供することを目的とする。
【課題を解決するための手段】
【０００６】
前記課題を解決し、初期の目的を達成するため本発明は、
機裏側の機構セット盤に装備された賞球貯留排出部下流の球送出路と、同セット盤下方に形成された賞球排出路との間の凹室部に、ケース体内に形成された球通路を連通し得る球払出し部が着脱可能にセットされて、同球払出し部から払出された賞球を賞球排出路を介して遊技者側に排出し得るパチンコ遊技機において、
前記機構セット盤の球送出路と前記球払出し部の球通路との連通部の近傍に、
指先操作または工具操作により操作して球払出し部のケース体の一部を係脱可能に係止し得る係合盤部を有し、該係合盤部を一方に変位させる施錠操作により、係合盤部が前記凹室部に突出してケース体の一部を固定セットすると共に、係合盤部を他方に変位させる解錠操作により、該凹室部から退避してケース体を取外し可能とする施錠部材と、
前記球送出路に対して出没変位して同路内の球の拘束と解放をなし得る規制弁部を有する可動規制部材とを夫々取着して、両部材を互いに連繋し、
前記球払出し部の組付けセット時において、前記施錠部材の施錠操作により係合盤部をケース体の一部に係止保持することに関連して、前記可動規制部材の規制弁部を球送出路から退出状態にして球の通出を可能とし、
前記球払出し部の取脱時において、施錠部材の解錠操作により係合盤部をケース体の一部から解放することに関連して、可動規制部材の規制弁部を球送出路内に突出して球の通出を不能にするように構成したことを特徴とする。
【０００７】
(作用)
機構セット盤の球送出路と賞球排出路との間に球払出し部をセットした状態において施錠部材を所定方向へ回動操作すれば、球払出し部を収容したケース体の係止部と該施錠部材の係合盤部とが係合して、球払出し部は機構セット盤に取着セットされる。そして、前記施錠部材の回動操作に際して該施錠部材の係合口と可動規制部材の連繋ピンとが係合し、これにより可動規制部材が球送出路から退避するようになるから、該球送出路内の賞球が球払出し部のケース体内に形成された球通路内へ流入することを許容する。また、前記施錠部材を前と逆方向へ回動操作すれば、球払出し部を収容したケース体の係止部と該施錠部材の係合盤部との係合が解除され、球払出し部をケース体ごと機構セット盤から取外し得る。そして、前記施錠部材の回動操作に際して該施錠部材のカム縁が可動規制部材の連繋ピンに当接し、これにより可動規制部材が球送出路内へ延出するようになり、該球送出路内の賞球は該可動規制部材の規制弁部で流通が規制される。従って、前記球払出し部を機構セット盤から取外した際には、球送出路から賞球が全く流出しない。
【発明の効果】
【０００８】
本発明に係るパチンコ遊技機における賞球流通規制装置によれば、球払出し部を機構セット盤に取着セットする施錠部材に可動規制部材を連動するよう構成して、この施錠部材の施錠操作時には可動規制部材が賞球の流出規制状態となり、施錠部材の解錠操作時には可動規制部材が賞球の規制解除状態となるようにした。すなわち、施錠部材の施錠,解錠操作に可動規制部材が連動するので、球払出し部の取付け,取外しと賞球の流通規制,規制解除をワンタッチ操作で行なうことができ、賞球貯留排出部や球払出し部の点検,交換作業が極めて簡単となる。しかも、可動規制部材が球払出し部の球通路に連通する球送出路の出口部に設けられるので、該球払出し部をケース体ごと機構セット盤から取外した際に機外へ流出する賞球が全くない。このため、補給装置による投入個数と、入賞に対する正規の払出し個数と、残存個数との関係に大幅な誤差を生ずることがなくなり、遊技店の営業・稼動においては、各遊技機に対する賞球状況や球稼動状態を正確に管理し得る等の利点もある。
【発明を実施するための最良の形態】
【０００９】
次に、本発明に係るパチンコ遊技機における賞球流通規制装置について、好適な実施例を挙げて、添付図面を参照しながら、以下詳細に説明する。なお本実施例では、遊技球を１個ずつ遊技盤内に打出して遊技球の入賞ゲーム(アウト球とセーフ球との区分)を展開するタイプにあって、機裏側の貯留球を、入賞成立(セーフ球の発生)に対する賞球と、球貸しシステムを利用した遊技用の貸し球とに区分排出して球皿側へ供給し得るパチンコ機の場合を主に例示する。
【実施例】
【００１０】
先ず、図１に略示するパチンコ機および図２に略示する球処理部について要約説明すると、外枠Ａに組付けられた前枠Ｂの裏側に、夫々の球処理部を有する機構セット盤Ｃが着脱可能にセットされている。このセット盤Ｃでは、遊技盤点検用の窓口１の周囲において、アウト球用の排出路２とセーフ球用の処理路３が区画形成されている一方、賞球用の球貯留排出経路部(賞球貯留排出部)４として、最上端の球タンク４ａと整列用の整流樋４ｂおよび減圧用の送出樋(球送出路)４ｃが順に連設されて、相当数のパチンコ球を貯留して送出し得るようになっている。また送出樋４ｃの下流端に、後述する賞球払出装置Ｆおよび球流路の切換えユニット装置Ｇが着脱可能にセットされており、該切換えユニット装置Ｇの出口下方に、上下の球皿(図示しない)側に連絡される第１,第２の賞球路(賞球排出路)５,７が形成され、第１の賞球路５の上流部から分岐された球抜き路９が下部外側に形成されて、前記排出路２および処理路３に連絡されている。なお、第１の賞球路５は供給口６を介して上球皿の上流部に連絡され、また第２の賞球路７は供給口６の側方から分岐されて前枠Ｂの下部裏側に取着された容器８を介して下球皿に連絡されている(図１および図２参照)。
【００１１】
前述した機構セット盤Ｃにおけるその余の構成として、図１および図２に略示するように、前記整流樋４ｂと送出樋４ｃとの直交連絡部位に、賞球単列化用の球送り整列部１０が装備され、また整流樋４ｂの所定位置に貯留球検出用のスイッチ１１が設置され、そして第２の賞球路７の途上に賞球充満検出機構１２が組込まれている。一方、送出樋４ｃの近傍に球抜き操作手段としてのレバー１３およびスイッチ１４が組付けられており、そして前記処理路３にセーフ球検出処理装置Ｄが着脱可能にセットされている。この装置Ｄでは、セーフ球を１個ずつ停留検出して賞球払出し後に解放通出する電動形態であって、図２および図３に例示するように、処理路３と連通する通路１６を形成した本体１５に、通路１６内のセーフ球を１個ずつ通過検出し得るスイッチ１７と、このスイッチ１７の上,下方に位置するストッパー部１８ａ,１８ｂを形成して、１回毎の処理作動によりセーフ球に対する拘束と解放とによる通入出規制を行なうレバー状の規制処理部材１８と、同部材１８を各規制状態に交互に切換え操作する電磁ソレノイド１９とを組付けて、全体が本体単位で構成・取扱い得るようになっている。なお図１中、２０は電源部(ＡＣ２４Ｖ)に接続されるターミナル基板、２１はゲーム内容を制御する第１電子制御装置、２２はセーフ球検出処理並びに賞球排出(払出しと球抜き)を制御する第２電子制御装置を夫々示す。
【００１２】
このような本実施例のパチンコ機は、遊技ホール内の設置枠台(通称「島」)の各区画枠内に前記球貸しシステムと共に設置されて縦向きで遊技に供される。この状態において、図示しないが、各列毎の設置枠台の補給設備における配球ユニットから必要時に供給される相当量のパチンコ球を、前記球貯留排出経路部４の球タンク４ａ内に受入れて各樋４ｂ,４ｃに収容しており、パチンコゲーム中に発生したセーフ球に対して所定数の賞球を払出し得る。一方球貸しシステムでは、前記スイッチ１１の球有り検出条件において、使用するカードの有効金額内における一定額単位に対して設定数球の貸出し制御をなすもので、カードリーダ２３およびカード挿入口等を有するカードユニットＥが外枠Ａ外側に装備されて(図１参照)、前枠Ｂの裏側下部に設置された中継制御部(インターフェースボードともいう)２４に、カードリーダ２３と上球皿側の球貸し操作部および前記第２電子制御装置２２が夫々接続されている。そして、カードリーダ２３の球貸し判読制御処理条件に応答して後述の賞球払出装置Ｆが作動されることにより、払出された貸し球が上球皿へ供給されるようになっている。
【００１３】
前述したパチンコ機に実施される賞球払出装置Ｆは、前記第２電子制御装置２２で制御作動されるもとで、セーフ球に対する賞球と遊技用の貸し球との区分排出並びに貯留球の抜出しの制御をなす電子制御作動形態のもので、図１および図２に略示するように、前記機構セット盤Ｃの設置部内に着脱可能にセットされている。この賞球払出装置Ｆでは、基本的な構成として図４〜図６に示すように、縦長方形箱状にユニット化された合成樹脂製のケース体２６内に球通路を区画形成すると共に、この球通路に臨む部位に電動式の球払出し部３０を夫々組付けて、ケース体毎に取扱い得るようになっている。そして機構セット盤Ｃの設置部、つまり前記球貯留排出経路部４の送出樋４ｃ下端と、前記第１,第２の賞球路５,７および球抜き路９上端との間に形成された凹室部２５内にケース体２６単位で収容され、球通路を送出樋４ｃおよび各路５,７,９に整合連絡した状態で後述する所要の係止手段で固定セットされるようになっている。前記ケース体２６は、凹室部２５内の設置面に密着される１枚のベース板２６Ａに矩形のカバー２６Ｂが組付けられており、このケース体２６内の一側部(図４における右側)に、１列の球通路２８を垂下状に形成した樋２７が組込まれて、ベース板２６Ａとカバー２６Ｂとにビス固定されている。
【００１４】
そして、前述のケース体２６内に組込まれた前記球払出し部３０は、球貯留排出経路部４からの球を１個ずつ通入出検出するもので、図４および図５に例示するように、ベース板２６Ａの支持部３１に軸支持された回転スプロケット状の球送り体３２と、球送り体３２の回転・停止規制をなす規制片３６の切換え作動源である電磁ソレノイド３４と、第１,第２検出具３８,３９とを備えている。そして球送り体３２は、外周に形成した受け部３３(図示６個)を球通路２８内に臨ませて、１個ずつの球を受けて回転により放出し得る。また電磁ソレノイド３４は、図示のフラッパー形式例において、ベース板２６Ａに固定された金属製の支枠３５にコイルを巻回した磁力発生部(ボビンともいう)３４Ａを装着し、通電時に発生された励磁力を磁着部３４ａに集中的に作用し得、これに対して規制片３６は、支枠３５の一端に傾動可能に支持されてバネ３７で付勢され、磁着部３４ａとバネ３７を利用して球送り体３２の受け部３３を係合停止,離隔解放するようになっている。一方、第１,第２検出具３８,３９は、互いに１球分の検出間隔で配置されて球通路２８に臨み、通入球と通出球とを個々に検出するよう構成される。
【００１５】
このような球払出し部３０では、電源投入時の作動状態において、電磁ソレノイド３４の消磁(ＯＦＦ)により磁着部３４ａから解放された垂下状態の規制片３６が、球送り体３２を拘束した通常状態に付勢保持されている(図４参照)。従ってこの球送り体３２が、前記球貯留排出経路部４内に投入されて送出路４ｃから球通路２８に入っている球の最先行(最下端)を、受け部３３に受入れた状態で停止されていることにおいて、第１検出具３８がこの球を直接有検出する。一方、電磁ソレノイド３４の励磁(ＯＮ)により磁着部３４ａに吸着された規制片３６が傾動変化して球送り体３２を解放すると、同球送り体３２が受けた１球の重みで回転して同球を放出することにおいて、第２検出具３９が放出球を直接有検出し、電磁ソレノイド３４が消磁復帰されるようになっている。なお第１,第２検出具３８,３９は、ともに光学センサータイプが使用される例において、前記第２の電子制御装置２２側に接続される制御基板(図示せず)に配置された発光ダイオードと、回路基板(図示せず)に配置された受光ダイオードとが組とされている。なお、球払出し部３０内での球詰り(判定)に対して、払出し用の電磁ソレノイド３４の作動により振動を発生させて球詰りを解消する制御として、例えば特願平１−２４９９７３号公報に開示の技術を採用可能である。また第２検出具３９の払出し球検出不良(故障)の判定処理の制御に関しては、例えば特願平１−２４９９７５号公報に開示の技術を採用し得る。更には、賞球(貯留球)の数量(検出間隔時間)に応じて球払出し速度を高速用モードと、低速用モードとに変更する制御に関しては、例えば特願平２−６７８９号公報や特願平５−２８５８２１号公報に開示の技術を採用することができる。
【００１６】
前記球流路の切換えユニット装置Ｇは、前記第２電子制御装置２２で制御作動されるもとで、賞球および貸し球と貯留球とを切換え排出するもので、図１および図２に略示するように、前記機構セット盤Ｃの設置部内において前記賞球払出装置Ｆの下方に着脱可能にセットされている。この切換えユニット装置Ｇでは、基本的な構成として図４,図５,図１３および図１４に示すように、小型の方形箱体状にユニット化された合成樹脂製のケース体４１内に球通路を区画形成すると共に、この球通路に臨む部位に電動式の球切換え排出部４７を組付けて、ケース体毎に取扱い得るようになっている。そして機構セット盤Ｃの設置部、つまり前記凹室部２５内において、前記賞球払出装置Ｆと第１の賞球路５および球抜き路９との間にケース体単位で収容され、球通路を前記球通路２８と該第１の賞球路５および球抜き路９に整合連結した状態で後述する所要の係止手段で固定セットされるようになっている。なお前記ケース体４１は、前記凹室部２５内の設置面に密着されるベース体４１Ａにコ字形のカバー４１Ｂが組付けられ、このケース体４１内の一側部(図４における右側)に球通路が画成されている。
【００１７】
そして本実施例の切換えユニット装置Ｇでは、前記ケース体４１の右部に形成された区画壁４２と前記カバー４１Ｂにより、前記賞球払出装置Ｆの球通路２８に整合連通される球入路４０が形成され、この球入路４０の下部から垂下状に延在して前記第１の賞球路５に連通される球払出し路４３が形成されると共に、前記球入路４０の下部から後方へ分岐されて傾斜状に延在して前記球抜き路９に連通される球戻し路４４が形成されており、前記ベース体４１Ａの略中央で上下に延在する仕切り板４６と前記カバー４１Ｂの右側壁部とにより各路４０,４３,４４が覆蓋されている。なお、ベース体４１Ａの各部には組付け用のボスや台座等が配設されており、また球払出し路４３と球戻し路４４とは、図５に例示するように互いに略逆Ｖの字状に連通されて、その分岐連絡口部の一端に後述する切換え弁４９用の逃し凹部４５が形成されている。
【００１８】
また、前記ケース体４１内に組込まれた前記球切換え排出部４７は、図４,図５,図１３および図１４に示すように、前記ベース体４１Ａの仕切り板４６の左側に設置される電磁ソレノイド４８と、仕切り板４６の右側で回動可能に支持されるレバー状の切換え弁４９とで構成されている。前記電磁ソレノイド４８は、小型で方形の外郭体５２を有するロータリー式で、該外郭体５２内に組込まれた励磁力発生部５３に挿通した回動軸５４を回動可能に支持して、その一端部を支点軸部５４ａとして外郭体５２外に延出した状態に構成されている。そして、この小型のロータリー式の電磁ソレノイド４８は、前記ベース体４１Ａに一体成形された支片５０により画成された設置部５１に前記外郭体５２を収容し、支点軸部５４ａを前記球払出し路４３と球戻し路４４との分岐部位に延出させた状態にセットされる。すなわち、電磁ソレノイド４８が横向きにセットされ、球払出し路４３および球戻し路４４が該ソレノイド４８の側方に位置するので、殊にケース体４１の前後サイズが小さくなって切換えユニット装置Ｇが軽量かつ小型に構成されている。なお前記仕切り板４６には、電磁ソレノイド４８の回動軸５４の挿通を許容する溝４６ａが形成されている。これに対して切換え弁４９は、図５に示すように、前記電磁ソレノイド４８の支点軸部５４ａに直結固定されて前記球払出し路４３と球戻し路４４との連絡部分内に位置し、前記回動軸５４の回動変位下に切換え保持されるようになっている。また前記支点軸部５４ａには、各端部を切換え弁４９と仕切り板４６とに係止させて、該切換え弁４９に付勢力を付与するねじりばね５５が配設されている。
【００１９】
このように構成した球流路の切換えユニット装置Ｇでは、電源投入時の作動前状態において、電磁ソレノイド４８の消磁(ＯＦＦ)により回動軸５４がフリー状態にある場合には、前記ねじりばね５５による付勢力のもとに、前記切換え弁４９が回動軸５４を支点として起立払出し位置に保持され、球入路４０と球払出し路４３とを連通させて前記賞球払出装置Ｆから払出された球を該球払出し路４３側へ案内する(図１５(ａ)参照)。一方、電磁ソレノイド４８の励磁(ＯＮ)により回動軸５４が所定方向へ回動変位した場合には、前記切換え弁４９が該回動軸５４を支点として傾斜戻し位置に保持され、球入路４０と球戻し路４４とを連通させて前記賞球払出装置Ｆから払出された球を球戻し路４４側へ案内するようになっている(図１５(ｂ)参照)。なお、切換えユニット装置Ｇの球切換え排出部４７に関連する操作手段については、図１に略示した前記機構セット盤Ｃにレバー１３およびスイッチ１４が配置使用される例において、レバー１３の操作によりスイッチ１４が検出(ＯＮ)することに応答して、前記切換え用の電磁ソレノイド４８と払出し用の電磁ソレノイド３４とが夫々設定時間に亘り励磁されるようになっている。ちなみにレバー１３は、前枠Ｂに形成された操作孔に挿入された針金状の操作具(共に図示しない)の押込みによる操作と、外枠Ａから開放した前枠Ｂの裏側で指先による操作との何れも可能にされている。
【００２０】
前述のように構成された賞球払出装置Ｆと球流路の切換えユニット装置Ｇとは、前記機構セット盤Ｃの凹室部２５に対して、ビスやボルト等を一切使用せずに、適宜の係止手段または施錠部材を利用したワンタッチ操作で簡単かつ容易に取付けられるようになっている。すなわち切換えユニット装置Ｇに関しては、図４,図６および図９に示すように、前記ケース体４１におけるカバー４１Ｂの左右両端部(外郭部)４１ａの上下部位に、左右外方へ延出した係止片(係止部)６５,６５が一体的に成形されており、また凹室部２５の下部には、該係止片６５,６５が上方から係止し得るスライド溝(掛止部)６６,６６が形成されている。従って、ケース体４１単位でユニット化された球流路の切換えユニット装置Ｇは、前記各係止片６５,６５を各スライド溝６６,６６の上方に整合させて位置決めし、この状態で下方へスライドさせることで各係止片６５がスライド溝６６内に嵌入し、該切換えユニット装置Ｇは凹室部２５に固定セットされる。このとき、球払出し路４３の出口部が第１賞球路５の入口部に整合すると共に、球戻し路４４の出口部が球抜き路９の入口部に整合する(図５参照)。
【００２１】
また前記賞球払出装置Ｆに関しては、図４,図６および図９に示すように、前記ケース体２６におけるベース板２６Ａの下端部に、下方へ延出した係止片６７,６７が一体的に成形されており、カバー２６Ｂの上面中央には、上方に延出した係合片部(係止部)６８が一体的に成形されている。これら係止片６７,６７は、前記切換えユニット装置Ｇのベース体４１Ａの上面に凹設した係止凹部６９,６９に整合するようになっており、賞球払出装置Ｆを上方からセットした際に各係止片６７が各係止凹部６９に嵌入して、凹室部２５に固定セットされた該切換えユニット装置Ｇにより下部が固定保持されるようになっている。また前記係合片部６８には、凹室部２５の上方に回動可能に配設された施錠部材７０に係合するようになっている。
【００２２】
前記施錠部材７０は、図４〜図９に示すように、前記凹室部２５の上方にビス着されるカバー部材７１の外面から水平に延出した支点ボス(支点)７２に回動可能に配設され、該支点ボス７２が嵌挿する係合孔７４を形成した摘み部７３と、該摘み部７３の下端部から側方に延在する扇状の係合盤(係合盤部)７５とを一体的に成形して構成されている。そして施錠部材７０は、前記支点ボス７２に対して左回転させると、前記係合盤７５が凹室部２５の上端部から退避したロック解除位置に変位し(図９参照)、また該ボス７２に対して右回転させると、該係合盤７５が該凹室部２５の上端部に位置したロック係止位置に変位するようになっている(図４参照)。すなわち、施錠部材７０をロック解除位置に保持させた状態において、前記球流路の切換えユニット装置Ｇを固定セットした凹室部２５の上部に前記賞球払出装置Ｆを位置決めし、この状態で該施錠部材７０をロック係止位置に回動変位させれば、係合盤７５が前記係合片部６８に係合するようになり、前記係止片６７と係止凹部６９との係止作用および該係合盤７５と係合片部６８との係合作用下に、該賞球払出装置Ｆは凹室部２５に固定セットされる。
【００２３】
前記係合片部６８には、図６に示すように、前記施錠部材７０における係合盤７５のカム縁７５ａが摺接する曲面状の係合面６８ａが形成されると共に、該係合盤７５の裏面端部に突設した突片７６が整合突入する係合溝７７が凹設されている。従って、施錠部材７０がロック係止位置に回動変位した際には、前記突片７６が係合溝７７に突入するようになり、該部材７０がロック係止位置に係止保持されてロック解除位置側への容易な回動変位が防止される。また、凹室部２５にセットされた前記賞球払出装置Ｆおよび切換えユニット装置Ｇは、前記施錠部材７０がロック係止位置に保持されている状態においては、前記カム縁７５ａと係合面６８ａとが好適に当接することにより、上下方向への移動が好適に規制されている。なお実施例の施錠部材７０は、前記摘み部７３を把持して回動変位させることの他に、該摘み部７３に形成した六角孔(係合孔)７８に対応の工具(六角レンチ等)を係止させて回動変位させることも可能となっている。
【００２４】
また、前記球貯留排出経路部４における送出樋４ｃの出口部には、前記施錠部材７０の回動変位に連動して作動される本実施例の球流通規制装置８５が配設され、該送出樋４ｃからのパチンコ球の通出規制を行ない得るようになっている。この球流通規制装置８５は、図７および図９〜図１２に示すように、送出樋４ｃの出口部側方に配設された支点ピン(支点)８６に揺動自在に枢支されて前記施錠部材７０に係着しながら姿勢制御される可動規制部材８７で構成されている。前記可動規制部材８７は、その一端側が前記支点ピン８６に枢支されると共に、揺動端側には前方へ延出した連繋ピン８８が一体的に形成されている。この連繋ピン８８は、図１０に示すように、前記施錠部材７０の係合盤７５に形成された係合口８０と前記カム縁７５ａに係合または当接するようになっており、該施錠部材７０がロック係止位置とロック解除位置との間を回動変位する際に、連繋ピン８８と係合口８０およびカム縁７５ａの係合作用下に、可動規制部材８７の姿勢が制御されるようになっている。
【００２５】
例えば、前記施錠部材７０がロック解除位置に保持されている状態においては、図１１に示すように、前記連繋ピン８８が前記カム縁７５ａに当接するようになり、可動規制部材８７は揺動端側が前記送出樋４ｃへ延出した傾動規制状態に姿勢保持される。これにより送出樋４ｃに沿って流下するパチンコ球は、傾動規制状態に保持されている可動規制部材８７の規制弁(規制弁部)８９に当接して、該送出樋４ｃからの流出が規制される。すなわち、前記施錠部材７０をロック解除位置に保持して前記賞球払出装置Ｆを凹室部２５から取外す際には、送出樋４ｃからのパチンコ球の流出が好適に規制されるようになっている。一方、前記施錠部材７０をロック係止位置に変位させた際には、図１０に示すように、前記連繋ピン８８が前記係合口８０に係合するようになり、可動規制部材８７は揺動端側が前記送出樋４ｃから退避した規制解除状態に姿勢保持される。これにより送出樋４ｃに沿って流下するパチンコ球は、前記可動規制部材８７に規制されることなく該送出樋４ｃの出口部から流出する。すなわち、凹室部２５にセットした前記賞球払出装置Ｆをロック係止位置に変位させた前記施錠部材７０で係止保持した際には、送出樋４ｃを流下するパチンコ球が該賞球払出装置Ｆの球通路２８内へ流入するようになる。
【００２６】
なお前記カバー部材７１には、図６および図７に示すように、施錠部材７０がロック係止位置とロック解除位置との間を回動するに際して、前記突片７６が移動する軌跡に対応した位置に、円弧状の突部７９が形成されている。これにより、施錠部材７０が回動変位する際には、前記突片７６が前記突部７９の上面に接触するようになり、該施錠部材７０の容易な回動変位を制御するようになっている。また、施錠部材７０がロック解除位置に変位した際には、図１２に示すように、前記突片７６と突部７９との当接が解除されると共に、該突部７９の端部に該突片７６が位置するようになり、両者７６,７９の係着により施錠部材７０がロック解除位置に保持され、これにより前記可動規制部材８７が傾動規制状態に保持される。
【００２７】
そして本実施例のパチンコ機のその他の構成として、図２に示すように、前記凹室部２５を開放可能に覆蓋する開閉蓋６２が、機構セット盤Ｃに枢着されている。すなわち前記開閉蓋６２は、その下端部に機構セット盤Ｃに枢支される枢支軸６３,６３を一体的に成形すると共に、上端部には係着片６２ａが一体的に形成されている。また前記凹室部２５の上方には、前記係着片６２ａに係脱可能なロック部材６４が回動可能に配設されている。従って、閉成した前記開閉蓋６２により凹室部２５内が略完全に覆蓋されるので、該凹室部２５に固定セットした賞球払出装置Ｆおよび切換えユニット装置Ｇは、当該パチンコ機が遊技に供されている際に塵埃やたばこの煙等から隔離保護され、確実かつ安定した作動を長期間に亘って維持することが可能となる。
【００２８】
ここで、本実施例のパチンコ機の各部に配設された電気部品類および前記賞球払出装置Ｆの電気部品類に係る入出力制御系統について付記すると、図１６に略示するように、前記第１の電子制御装置２１に遊技盤(図示しない)に配置されたスイッチ等が接続されて、ゲームおよび賞球排出に係る制御処理がなされる。一方、前記第２の電子制御装置２２に、前記カードユニットＥのカードリーダ２３、インターフェースボード２４、球貸し操作用のスイッチ５９および貸し球用のスイッチ１１と、前記セーフ球検出処理装置Ｄのスイッチ１７および電磁ソレノイド１９と、前記球払出し部３０の電磁ソレノイド３４および第１,第２検出具３８,３９と、前記球切換え排出部４７の電磁ソレノイド４８および球抜き用のスイッチ１４が夫々接続されて、貸し球と賞球との区分払出し、セーフ球検出処理、そして球抜きに係る夫々の制御処理がなされる。なお第２の電子制御装置２２では、球抜き用のスイッチ１４の１回の検出信号を有効入力して、球抜き指令により切換え用の電磁ソレノイド４８、次いで払出し用の電磁ソレノイド３４を各々の時間(例えば５０秒と４５秒)に亘り励磁し、そしてリセットスイッチ６０の入力条件で次の球抜き用検出信号を有効入力可能に設定されている。
【００２９】
(実施例の作用)
前述のように構成された本実施例のパチンコ機では、該パチンコ機の組立製造時に、球流路の切換えユニット装置Ｇおよび賞球払出装置Ｆとを、機構セット盤Ｃに形成した凹室部２５にワンタッチ操作で固定セットすることができ、極めて簡単かつ容易な組付けが可能となっている。すなわち切換えユニット装置Ｇは、各係止片６５,６５を各スライド溝６６,６６の上方に整合させて位置決めし、この状態で下方へスライド操作するだけでよく、これにより各係止片６５がスライド溝６６内に嵌入して該切換えユニット装置Ｇは凹室部２５に固定セットされる。また賞球払出装置Ｆは、前記切換えユニット装置Ｇを凹室部２５に固定セットした状態において、係止片６７を該切換えユニット装置Ｇの係止凹部６９に嵌入させると共に、施錠部材７０をロック係止位置に回動変位させるだけで凹室部２５に固定セットされる。これにより、賞球払出装置Ｆと切換えユニット装置Ｇとは、上下方向に連設した状態で凹室部２５に固定セットされる。なお、施錠部材７０がロック係止位置に変位していることにより、前記可動規制部材８７が規制解除状態に姿勢保持されるので、送出樋４ｃに沿って流下するパチンコ球は、前記賞球払出装置Ｆの球通路２８内に流入して球払出し部３０における球送り体３２に至る。
【００３０】
前述のように構成された本実施例のパチンコ機では、遊技ホール内の設置枠台にカードユニットＥと共に設置されて遊技に供し得る。そして、カードユニットＥに対するカードの挿入並びに機前側での球貸し操作により、機構セット盤Ｃの賞球払出装置Ｆから払出された貸し球を上球皿側へ給出して収容し得る。このもとで遊技操作(打球発射操作)を行なうことにより、機内の発射位置に１球ずつ送込まれた遊技球を遊技盤内に打出して所要のゲームを展開し得る。そうして、ゲーム中に発生したアウト球を機構セット盤Ｃの排出路２から機外へ排出し、またセーフ球を処理路３からセーフ球検出処理装置Ｄに導入して１球ずつ停留検出処理した後に機外へ排出する一方、このセーフ球の検出処理に対して賞球払出装置Ｆから設定数の賞球を払出して上球皿または下球皿へ給出するようになっている。そして、球抜き必要時の操作により球貯留排出経路部４内の貯留球を、賞球払出装置Ｆの解放状態で抜出して球抜き路９から機外へ排出することができる。
【００３１】
そこで、このようなパチンコ機に実施された賞球払出装置Ｆおよび本実施例の球流路の切換えユニット装置Ｇにおける球排出作動状態について、各図を参照しながら説明する。先ず貸し球の払出しについては、貸し球用のスイッチ１１の球有り検出入力条件にあって、カードが挿入されて球貸し用のスイッチ５９が操作されたことに基づいて球払出し部３０が作動される。すなわち、同スイッチ５９の操作入力に対するカードリーダ２３，インターフェースボード２４および第２の電子制御装置２２間での制御処理および球貸し指令に基づいて、賞球払出装置Ｆの球払出し部３０が作動されて電磁ソレノイド３４の制御作動(励磁と消磁)および規制片３６の切換え、第１,第２検出具３８,３９の球有り検出入力並びに球送り体３２のピッチ回動により、所定数の球(例えば球貸し金額１００円に対して貸し球２５個)が１球ずつ払出され、切換えユニット装置Ｇにおける球払出し路４３から第１賞球路５へ排出され、供給口６から上球皿へ給出される。この貸し球の具体的な排出状態を図５および図１５(ａ)で観ると、全ての貸し球は、球送り体３２の受け部３３から解放された以降、第２検出具３９でカウント検出されて球入路４０へ通入し、起立払出し位置に保持されている切換え弁４９に沿って球払出し路４３側へ通出された後に、第１賞球路５へ排出される。
【００３２】
またセーフ球に対する賞球の払出しについては、図２および図３に示す前記セーフ球検出処理装置Ｄでのセーフ球検出毎に賞球払出装置Ｆの球払出し部３０が作動される。すなわち、前記処理路３から通路１６に通入して規制処理部材１８のストッパー部１８ｂにより検出位置で停留されたセーフ球をスイッチ１７が検出した条件にあって、同検出入力に対する第１,第２の電子制御装置２１,２２間でのセーフ球信号と賞球信号との処理および払出し指令に基づいて、球払出し部３０が前述と同様な態様で作動されて(図５および図１５(ａ)参照）、電磁ソレノイド３４の制御作動および規制片３６の切換えに従う球送り体３２のピッチ回動により、所定数の球(例えば５〜１５個の賞球)が１球ずつ払出されて、球入路４０,球払出し路４３から第１賞球路５に通出され、供給口６から上球皿または第２賞球路７から下球皿へ給出される。そして、払出された所定数最後の賞球が第２検出具３９でカウント検出された時点に基づいて、当該回の払出し作動が終了されて電磁ソレノイド３４の消磁、規制片３６の復帰に従い球送り体３２が停止保持される。なお、払出し終了後セーフ球検出処理装置Ｄでは、第２の電子制御装置２２からのセーフ球解放指令に基づいて、電磁ソレノイド１９が１回作動(励磁と消磁)されることにより、規制処理部材１８の切換えに従い検出位置のセーフ球が解放されて機外へ排出され、次のセーフ球が検出位置に入って停止される(図３参照)。
【００３３】
一方貯留球の球抜きについては、球抜き操作に基づいて、球流路の切換えユニット装置Ｇの球切換え排出部４７と、賞球払出装置Ｆの球払出し部３０が順次作動される。すなわち、前記球抜き用のスイッチ１４が操作されたことにより、この検出入力に対する第２の電子制御装置２２での制御処理および球抜き指令に基づいて球切換え排出部４７が切換え作動されて、電磁ソレノイド４８の励磁による回動軸５４の回動と共に切換え弁４９が傾斜戻し位置に切換え保持される(図５および図１５(ｂ)参照)。これに次いで(例えば１.５秒後)球払出し部３０が開放作動されて、電磁ソレノイド３４の励磁により規制片３６が磁着変位されて球送り体３２を解放する。この結果、同球送り体３２が球通路２８内の球を受けながら連続フリー回転するもとで、１球ずつ放出された球貯留排出経路部４内の貯留球が、切換え弁４９で変向案内されながら球戻し路４４に通出して球抜き路９から機外へ抜出される。そうして、設定時間経過後の球抜き指令終了時に、球払出し部３０が元状復帰されてソレノイド３４の消磁により、規制片３６が変位復帰して球送り体３２を停止保持する。これに次いで(例えば３.５秒後)球切換え排出部４７が元状復帰されてソレノイド４８の消磁により回動軸５４がフリーとなり、ねじりばね５５の付勢力下に切換え弁４９が元の起立払出し位置(図１５(ａ)の位置)に保持される。
【００３４】
なお前述の球抜き作動では、球貯留排出経路部４内で多少の球流れ遅れが発生したとしても、双方のソレノイド３４,４８の励磁時間設定により全球を的確に抜出すことができる。そして球抜き後においては、補給設備の運転により新たな相当量の球が球タンク４ａ内に投入されることにより、球払出し部３０の球通路２８内の所定位置(球送り体３２の受止め位置)から球貯留排出経路部４内の全体に亘り通入(収容)されて、前述した貸し球,賞球の払出しが可能とされる。ちなみに、本実施例の賞球払出装置Ｆおよび球流路の切換えユニット装置Ｇに係る第２の電子制御装置２２での別設定例として、球貸し操作信号は賞球払出し指令の終了後に入力可能とされ、また球抜き操作信号の入力以後は入力不可(無効)とされる。賞球払出し信号は、球貸し指令の終了以後に入力可能とされ、また球抜き操作信号の入力以後は入力不可(無効)とされる。また球抜き操作信号は、貸し球,賞球の払出し指令の終了以後に１回だけ有効入力可能とされる。
【００３５】
また本実施例のパチンコ機では、前述のように遊技ホール内の設置枠台に設置されて遊技に供されている適時に、前記賞球貯留排出経路部４や前記賞球払出装置Ｆおよび球通路の切換えユニット装置Ｇの点検,修理や交換等に際しては、これら賞球払出装置Ｆと切換えユニット装置Ｇを、凹室部２５からワンタッチ操作で簡単かつ容易に取外すことが可能である。すなわち、前記施錠部材７０をロック解除位置へ回動操作して係合盤７５と係合片部６８との係合を解除した状態において、賞球払出装置Ｆを手前上方に引出せば該賞球払出装置Ｆを簡単に取外すことができる。また、前記賞球払出装置Ｆを凹室部２５から取外した状態において、前記切換えユニット装置Ｇを上方へ引上げれば、該切換えユニット装置Ｇも簡単に取外すことが可能である。しかも、前記施錠部材７０がロック解除位置に保持されている状態においては、前記球流通規制装置８５における可動規制部材８７が傾斜規制状態に姿勢保持され、更には該可動規制部材８７が送出樋４ｃの出口部に配設されていることに伴い、例えば球貯留排出経路部４内にパチンコ球が残留していたとしても、該パチンコ球が送出樋４ｃから流出することは全くない。
【００３６】
このように、本実施例の賞球流通規制装置８５では、施錠部材７０の施錠・解錠操作に可動規制部材８７が連動するので、賞球払出装置Ｆの取付け,取外しと賞球の流通規制,規制解除とをワンタッチ操作で行なうことができ、球貯留排出経路部や賞球払出装置Ｆおよび切換えユニット装置Ｇの点検,交換作業が極めて簡単となる。また、可動規制部材８７が賞球払出装置Ｆの球通路２８に連通する送出樋４ｃの出口部に設けられるので、該賞球払出装置Ｆをケース体２６ごと機構セット盤Ｃから取外した際には、機外へ流出する賞球が全くない。このため、補給装置による投入個数と、入賞に対する正規の払出し個数と、残存個数との関係に大幅な誤差を生ずることがなくなり、遊技店の営業・稼動においては、各遊技機に対する賞球状況や球稼動状態を正確に管理し得る。
【００３７】
なお本実施例では、前記施錠部材７０が支点ボス７２に枢支させた回動操作形態、また可動規制部材８７が支点ピン８６に枢支された揺動変位形態として、施錠部材７０の回動変位に連動して可動規制部材８７を傾動規制状態と規制解除状態とに姿勢変位させる動作形態につき例示したが、本発明に係る賞球流通規制装置では、施錠部材７０と可動規制部材８７の動作形態はこれに限定されるものではない。すなわち施錠部材７０においては、賞球払出装置Ｆの係合片部６８に向けて前進・後退する直線移動(直動)形態とし得ると共に、また可動規制部材８７においても、送出樋４ｃに向けて前進・後退する直線移動(直動)形態とすることが可能である。これにより、施錠部材７０と可動規制部材８７とを適宜連繋して連動させる前提において、前記実施例に示した(１)回動形態の施錠部材７０と揺動形態の可動規制部材８７の組合わせの他に、(２)回動形態の施錠部材７０と直動形態の可動規制部材８７の組合わせ、(３)直動形態の施錠部材７０と揺動形態の可動規制部材８７の組合わせ、(４)直動形態の施錠部材７０と直動形態の可動規制部材８７との組合わせ等が実施可能である。
【００３８】
(変更例)
図１７は、前記球流路の切換えユニット装置の変更例を示す分解斜視図であり、また図１８は、球切換え排出部における切換え弁の動作態様を示す縦断側面図である。この変更例に係る切換えユニット装置Ｇ１では、前記実施例で示した切換えユニット装置Ｇに対し、ケース体２６におけるカバー２６Ｂの前面に形成した設置部９３に、出没式のスイッチボタン９１を該ケース体２６内に指向させた保全スイッチ９０が装備され、また前記切換え弁４９の側方には、該スイッチボタン９１を押圧する押圧片９２が一体的に形成されている。この保全スイッチ９０は、スイッチボタン９１の非押圧状態ではＯＦＦ状態に保持され、切換え弁４９が傾斜戻し位置へ回動変位して押圧片９２がスイッチボタン９１を押圧している間だけＯＮ状態とされる「ａ接点」タイプのもので、第２の電子制御装置２２に接続されている(図１６参照)。そして、前記球抜き用のスイッチ１４が操作された条件において前記保全スイッチ９０がＯＦＦ状態となると、切換え弁４９の非検出条件が第２の電子制御装置２２に入力され、球払出し部３０が払出し解放不能状態に制御されて払出し用の電磁ソレノイド３４が停止制御される。すなわち、切換え弁４９が傾斜戻し位置に位置していることを検出する保全スイッチ９０を装備することにより、例えばパチンコ機の前側から挿入させた針金等の不正物を利用した貯留球の不正抜取りを好適に阻止し得る。なお、カバー２６Ｂの側面に円弧状の細長通孔９４を形成してあり、切換え弁４９の側面に形成した操作孔９５に該通孔９４を介して差込んだ操作杆を係止させて、該切換え弁４９を手動で回動操作可能となっている。
【００３９】
このように構成した切換えユニット装置Ｇ１では、前枠Ｂから挿入した操作杆により前記球抜き用のスイッチ１４を操作すると、球切換え排出部４７における切換え用の電磁ソレノイド４８が励磁して、回動軸５４の回動変位により切換え弁４９が傾斜戻し位置に切換え保持される。このとき、切換え弁４９の押圧片９２が保全スイッチ９０のスイッチボタン９１を押圧することにより、該保全スイッチ９０がＯＮ状態となり、切換え弁４９の検出条件が第２の電子制御装置２２に入力されると共に、払出し用の電磁ソレノイド３４が作動制御されて貯留球が払出される。
【００４０】
そして、貯留球の球抜出し状態において、前記不正物を供給口６および第１賞球路５を介して球払出し路４３側へ侵入させると、該不正物の先端が切換え弁４９に当接して該切換え弁４９が起立払出し位置側へ回動し、押圧片９２によるスイッチボタン９１の押圧が解除される。すなわち、前記保全スイッチ９０がＯＦＦ状態となって切換え弁４９の非検出条件が第２の電子制御装置２２に入力されるから、前記払出し用の電磁ソレノイド３４が消磁されて貯留球の払出しが中止される。従って、不正物により前記切換え弁４９を強制的に起立払出し位置まで回動変位させ得たとしても、前記払出し用の電磁ソレノイド３４が消磁されるから、以後の貯留球の払出しが規制されて球払出し路４３の上流部にあった１,２個の球しか抜き取ることができない。
【００４１】
また図１９は、球切換え排出部４７における球払出し路４３と球戻し路４４を、逆Ｙ字状に形成した変更例を例示したもので、電磁ソレノイド４８の回動軸５４に配設した切換え弁４９が、左右に傾動変位可能に配設されている。そして、貸し球の払出しおよび賞球の払出しに際しては、切換え弁４９を右方へ傾動させた球払出し位置に保持させ、パチンコ球を球払出し路４３側へ通出案内する。また、貯留球の球抜きに際しては、前記電磁ソレノイド４８の励磁による回動軸５４の回動下に、切換え弁４９を左方へ傾動させた球戻し位置に保持させ、貯留球を球戻し路４４側へ通出案内する。
【００４２】
更に本実施例のパチンコ機では、前述したように、賞球払出装置Ｆおよび切換えユニット装置Ｇの取外しが極めて簡単かつ容易に行ない得るので、例えば当該パチンコ機を廃棄処理するに際し、部品毎の分解作業の迅速化および合理化を図り得る。
【図面の簡単な説明】
【００４３】
【図１】カードユニットを併設したパチンコ機の背面図である。
【図２】パチンコ機裏側の機構セット盤に配設した球処理部の背面図である。
【図３】セーフ球検出処理装置を作動変化状態で示す正面図である。
【図４】賞球払出装置および球流路の切換えユニット装置をケースの一部破断状態で示す正面図である。
【図５】賞球排出装置および球流路の切換えユニット装置を一部断面状態で示す縦断側面図である。
【図６】機構セット盤の凹室部,賞球払出装置,切換えユニット装置,施錠部材および球流通規制装置を示す分解斜視図である。
【図７】本実施例の施錠部材および球流通規制装置の分解斜視図である。
【図８】施錠部材および球流通規制装置の組付け状態を示す横断平面図である。
【図９】機構セット盤の凹室部に対する賞球払出装置と球流路の切換えユニット装置の取付け形態を示す正面図である。
【図１０】ロック係止位置に回動変位した施錠部材に連動して球流通規制装置が規制解除状態に姿勢変位した状態を一部破断して示す作動説明図である。
【図１１】ロック解除位置に回動変位した施錠部材に連動して球流通規制装置が流通規制状態に姿勢変位した状態を一部破断して示す作動説明図である。
【図１２】図１１における施錠部材の係合盤と可動規制部材の連繋ピンとの係合状態を拡大して示す説明図である。
【図１３】本実施例の球流路の切換えユニット装置の分解斜視図である。
【図１４】凹室部に取付けられた球流路の切換えユニット装置の横断平面図である。
【図１５】切換え弁の起立払出し位置と傾斜戻し位置とで示す球流路の切換えユニット装置の縦断側面図である。
【図１６】制御系統のブロック図である。
【図１７】切換え弁の球戻し位置への変位を検出可能なスイッチを装備した球流路の切換えユニット装置を示す分解斜視図である。
【図１８】図１７に示す切換えユニット装置を、切換え弁の起立払出し位置と傾斜戻し位置とで示す縦断側面図である。
【図１９】球払出し路および球戻し路の形態変更例を示す側面図である。
【符号の説明】
【００４４】
４ 賞球貯留排出経路部(賞球貯留排出部)
４ｃ 送出樋(球送出路)
５ 第１の賞球路(賞球排出路)
７ 第２の賞球路(賞球排出路)
２５ 凹室部
２６ ケース体
２８ 球通路
３０ 球払出し部
６８ 係合片部(係止部)
７０ 施錠部材
７２ 支点ボス(支点)
７３ 摘み部
７４ 六角孔(係合孔)
７５ 係合盤(係合盤部)
７５ａ カム縁
８０ 係合口
８６ 支点ピン(支点)
８７ 可動規制部材
８８ 連繋ピン
８９ 規制弁(規制弁部)
Ｃ 機構セット盤
【図１】
2006075638.tif 000003
【図２】
2006075638.tif 000004
【図３】
2006075638.tif 000005
【図４】
2006075638.tif 000006
【図５】
2006075638.tif 000007
【図６】
2006075638.tif 000008
【図７】
2006075638.tif 000009
【図８】
2006075638.tif 000010
【図９】
2006075638.tif 000011
【図１０】
2006075638.tif 000012
【図１１】
2006075638.tif 000013
【図１２】
2006075638.tif 000014
【図１３】
2006075638.tif 000015
【図１４】
2006075638.tif 000016
【図１５】
2006075638.tif 000017
【図１６】
2006075638.tif 000018
【図１７】
2006075638.tif 000019
【図１８】
2006075638.tif 000020
【図１９】
2006075638.tif 000021